(57)【要約】【課題】スペース効率に優れたコネクタを提供する。【解決手段】第１ハウジングは、長手方向に長く形成された嵌合面部と、嵌合面部の長手方向に沿った一側の縁部に形成された軸受部と、を有する。第２ハウジングは、第１ハウジングおよび第２ハウジングの嵌合方向と交差する方向を向くように形成された側面部を有する。蓋部材は、軸受部に支持される軸部を中心として嵌合面部を覆う閉位置と、側面部に当たる閉位置とに変位可能とされる。蓋部材は、開位置から閉位置へと付勢部材で付勢される。蓋部材の外形は、嵌合面部の長手方向に沿って配置される長辺部と、長辺部と交差し、長辺部より短い短辺部と、を有している。【選択図】図９
2020140817.tif 000002
【特許請求の範囲】
【請求項１】
互いに嵌合可能な第１ハウジングおよび第２ハウジングと、
前記第１ハウジングにおける前記第２ハウジングと対向する位置に、長手方向に長く形成された嵌合面部と、
前記第１ハウジングにおける前記嵌合面部の前記長手方向に沿った一側の縁部に形成された軸受部と、
前記第２ハウジングにおいて前記第１ハウジングおよび第２ハウジングの嵌合方向と交差する方向を向くように形成された側面部と、
前記軸受部に支持される軸部を中心として、前記嵌合面部を覆う閉位置と、前記第１ハウジングおよび第２ハウジングの嵌合時に前記側面部に当たる開位置とに変位可能な蓋部材と、
前記蓋部材を前記開位置から前記閉位置へと付勢する付勢部材と、を備え、
前記蓋部材の外形は、
前記嵌合面部の前記長手方向に沿って配置される長辺部と、
前記長辺部と交差し、前記長辺部より短い短辺部と、を有しているコネクタ。
【請求項２】
前記蓋部材には、前記閉位置で前記嵌合面部をシールするシール部材が設置され、
前記第２ハウジングは、前記側面部に、前記蓋部材が前記開位置にあるときに、前記シール部材の周囲を取り囲む外周壁を有している請求項１に記載のコネクタ。
【請求項３】
前記第２ハウジングは、第２ハウジング本体と、前記第２ハウジング本体に取り付けられる電線カバーとを有し、前記側面部および前記外周壁は、前記電線カバーに設けられている請求項２に記載のコネクタ。
【請求項４】
前記蓋部材は、蓋側ロック部を有し、
前記第２ハウジングは、前記側面部に、前記蓋側ロック部に当たって前記蓋部材を前記開位置に維持するハウジング側ロック部を有している請求項１から請求項３のいずれか１項に記載のコネクタ。
【発明の詳細な説明】
【技術分野】
【０００１】
本開示は、コネクタに関する。
【背景技術】
【０００２】
特許文献１は、牽引車用のコネクタを開示している。牽引車用のコネクタは、トレーラなどの被牽引対象と車両本体との間を電気的に接続する自動車用ワイヤハーネスに使用される。このコネクタは、ハウジングを備えている。ハウジングは、被牽引対象側ワイヤハーネスのコネクタを挿入する開口部を有している。ハウジングは、開口部の上端に、開口部を閉塞する蓋体を回動可能に取り付けている。蓋体は、端部に、回動軸を有している。そして、蓋体は、回動軸の外周に巻き付けられた巻きバネにより、開口部を閉じる方向に付勢されている。
【０００３】
特許文献２は、ソケット本体の開口部を蓋部で覆う技術を開示している。特許文献３は、電気自動車の車両側コネクタに設けられた蓋を開示している。
【先行技術文献】
【特許文献】
【０００４】
【特許文献１】特開２００４−３９３３２号公報
【特許文献２】特開２０１３−１５５８２５号公報
【特許文献３】特開平７−２９６３５号公報
【発明の概要】
【発明が解決しようとする課題】
【０００５】
特許文献１に開示された牽引車用のコネクタの場合、開放された蓋体の突出方向は、被牽引対象側ワイヤハーネスの配索方向と同一になることが多い。このため、開放された蓋体は、回動軸から大きく突出していても、被牽引対象側ワイヤハーネスの配索スペースに支障なく配置され得る。しかし、例えば、蓋体の突出方向と相手側ワイヤハーネスの配索方向とが一致せず、相手側ワイヤハーネスの配索スペースに制限がある場合は、開放された蓋体が配索スペースに適切に収まらないことが起こり得る。
【０００６】
そこで、スペース効率に優れたコネクタを提供することを目的とする。
【課題を解決するための手段】
【０００７】
本開示のコネクタは、互いに嵌合可能な第１ハウジングおよび第２ハウジングと、前記第１ハウジングが前記第２ハウジングと対向する位置に、長手方向に長く形成された嵌合面部と、前記第１ハウジングにおける前記嵌合面部の前記長手方向に沿った一側の縁部に形成された軸受部と、前記第２ハウジングにおいて前記第１ハウジングおよび第２ハウジングの嵌合方向と交差する方向を向くように形成された側面部と、前記軸受部に支持される軸部を中心として、前記嵌合面部を覆う閉位置と、前記第１ハウジングおよび第２ハウジングの嵌合時に前記側面部に当たる開位置とに変位可能な蓋部材と、前記蓋部材を前記開位置から前記閉位置へと付勢する付勢部材と、を備え、前記蓋部材の外形は、前記嵌合面部の前記長手方向に沿って配置される長辺部と、前記長辺部と交差し、前記長辺部より短い短辺部と、を有している。
【発明の効果】
【０００８】
本開示によれば、スペース効率に優れたコネクタを提供することが可能となる。
【図面の簡単な説明】
【０００９】
【図１】図１は、実施例にかかるコネクタがパネルに取り付けられた状態を示す側面図である。
【図２】図２は、蓋部材が開位置で支持された第１ハウジングの正面図である。
【図３】図３は、蓋部材が閉位置で支持された第１ハウジングの正面図である。
【図４】図４は、グロメットカバーの側面部を含む第２ハウジングの側面図である。
【図５】図５は、グロメットカバーの斜視図である。
【図６】図６は、蓋部材の正面図である。
【図７】図７は、蓋部材とシール部材と付勢部材の分解斜視図である。
【図８】図８は、シール部材と付勢部材を組み込んだ蓋部材の正面図である。
【図９】図９は、図１のＡ―Ａ線断面図である。
【発明を実施するための形態】
【００１０】
［本開示の実施形態の説明］
最初に本開示の実施態様を列記して説明する。  
本開示のコネクタは、
（１）互いに嵌合可能な第１ハウジングおよび第２ハウジングと、前記第１ハウジングにおける前記第２ハウジングと対向する位置に、長手方向に長く形成された嵌合面部と、前記第１ハウジングにおける前記嵌合面部の前記長手方向に沿った一側の縁部に形成された軸受部と、前記第２ハウジングにおいて前記第１ハウジングおよび第２ハウジングの嵌合方向と交差する方向を向くように形成された側面部と、前記軸受部に支持される軸部を中心として、前記嵌合面部を覆う閉位置と、前記第１ハウジングおよび第２ハウジングの嵌合時に前記側面部に当たる開位置とに変位可能な蓋部材と、前記蓋部材を前記開位置から前記閉位置へと付勢する付勢部材と、を備え、前記蓋部材の外形は、前記嵌合面部の前記長手方向に沿って配置される長辺部と、前記長辺部と交差し、前記長辺部より短い短辺部と、を有している。蓋部材が開位置において第２ハウジングの側面部に当たるときに、蓋部材の短辺部が第２ハウジングの位置する側に小さく突出する。このため、コネクタは、第２ハウジングの位置する側にスペースの制限がある場合でも適用可能となる。また、第２ハウジングが第１ハウジングから離脱すると、蓋部材は付勢部材により閉位置へと自動的に至ることができる。
【００１１】
（２）前記蓋部材には、前記閉位置で前記嵌合面部をシールするシール部材が設置され、前記第２ハウジングは、前記側面部に、前記蓋部材が前記開位置にあるときに、前記シール部材の周囲を取り囲む外周壁を有していることが好ましい。蓋部材が開位置にあるときに、シール部材の周囲が外周壁で取り囲まれることにより、シール部材が損傷するのが防止される。その結果、閉位置にある蓋部材と嵌合面部との間に配置されるシール部材の液密性を信頼性良く確保することができる。
【００１２】
（３）前記第２ハウジングは、第２ハウジング本体と、前記第２ハウジング本体に取り付けられる電線カバーとを有し、前記側面部および前記外周壁は、前記電線カバーに設けられていると良い。これによれば、第２ハウジング本体に外周壁を設けなくて済み、第２ハウジング本体の構造を簡単にすることができる。
【００１３】
（４）前記蓋部材は、蓋側ロック部を有し、前記第２ハウジングは、前記側面部に、前記蓋側ロック部に当たって前記蓋部材を前記開位置に維持するハウジング側ロック部を有していると良い。ハウジング側ロック部が蓋側ロック部に当たることで、蓋部材を開位置に維持するため、振動下で蓋部材が側面部から離れるのを防止することができる。
【００１４】
［本開示の実施形態の詳細］
本開示のコネクタの具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
【００１５】
［実施例］
実施例にかかるコネクタは、図示しない自動車のドアパネルなどのパネル９０に取り付けられる。例えば、パネル９０の前面側（図１の左側）は車体側となり、パネル９０の後面側（図１の右側）はドア側となる。コネクタは、互いに嵌合可能な第１ハウジング１０および第２ハウジング１１と、第１ハウジング１０に支持される蓋部材１２と、蓋部材１２に設置される付勢部材１４およびシール部材１３（図８を参照）と、を備えている。第１ハウジング１０、第２ハウジング１１および蓋部材１２は、合成樹脂製である。付勢部材１４は、金属製の巻きバネ（ねじりコイルバネ）である。シール部材１３はシリコンゴムなどのゴム製である。なお、以下の第１ハウジング１０および第２ハウジング１１の説明において、前後方向は、第１ハウジング１０および第２ハウジング１１が嵌合開始時に互いに向き合う面側を前側とする。
【００１６】
＜第１ハウジング１０＞
第１ハウジング１０は、図２に示すように、第１ハウジング本体１５を有している。第１ハウジング本体１５は、パネル９０の取付孔９１（図９を参照）に貫通して配置される。第１ハウジング本体１５は、取付孔９１の開口形状に適合するように、正面視において上下方向（高さ方向）が長手方向となる形態になっている。第１ハウジング本体１５には、複数の第１端子金具１６が装着される。各第１端子金具１６は、第１ハウジング本体１５の前面から前方に突出する。第１ハウジング本体１５の前面は、嵌合開始時、第２ハウジング１１に向き合う嵌合面部１７となる。
【００１７】
嵌合面部１７は、正面視において、上下方向に長く、四角が丸くされた矩形の外形形状を呈している。図示しないが、各第１端子金具１６は、第１ハウジング本体１５の後面から後方にも突出する。第１ハウジング本体１５は、図１に示すように、後方から他のハウジング１８（車体側のハウジング）と嵌合される。各第１端子金具１６は、後部において、他のハウジング１８に装着された図示しない他の端子金具に電気的に接続される。また、各第１端子金具１６は、前部において、第２ハウジング１１に装着された図示しない第２端子金具に接続される。つまり、第１ハウジング本体１５は、中継ハウジングとして機能する。  
第１ハウジング本体１５は、図２に示すように、嵌合面部１７の外縁から前方に突出する筒状（詳細には上下方向に長い角筒状）のフード部１９を有している。
【００１８】
第１ハウジング１０は、フード部１９から外側に張り出すフランジ部２０を有している。フランジ部２０は、図１に示すように、パネル９０の後面側における取付孔９１の開口縁部に対向して配置される。図９に示すように、パネル９０の前面とフランジ部２０との間には、シールリング２１が液密に挟まれる。
フランジ部２０は、図１に示すように、第１ハウジング本体１５より上方に、前方に突出する装着部２２を有している。装着部２２には、後方から金属製のロック部材２３が装着される。ロック部材２３の先端部は、フランジ部２０から後方に突出している。フランジ部２０は、第１ハウジング本体１５より下方に、後方に突出するアーム部２４を有している。本実施例の場合、第１ハウジング１０および第２ハウジング１１が嵌合された状態で、ロック部材２３の先端部およびアーム部２４がパネル９０の前面に掛け止められる。これにより、コネクタがパネル９０に取り付けられる。
【００１９】
第１ハウジング１０は、図３に示すように、フード部１９における上下方向（長手方向）に沿った一側面に、一対の軸受部２５を有している。両軸受部２５は、フード部１９の一側面に上下方向に間隔をあけて配置される。両軸受部２５は、互いに対向する面に、図示しない軸受孔を有している。両軸受部２５は、後述する軸部４８を介して、蓋部材１２を回動可能に支持する。
【００２０】
＜第２ハウジング１１＞
第２ハウジング１１は、ドア側のハウジングであって、図４に示すように、第２ハウジング本体２６を有している。第２ハウジング１１は、第１ハウジング１０のフード部１９に嵌合される。第２ハウジング１１の外周面には、図９に示すように、ハウジングシール部材６０が装着されている。ハウジングシール部材６０は、シリコンゴムなどのゴム製であって、フード部１９と第２ハウジングとの間に液密に挟まれる。第２ハウジング本体２６には、複数の図示しない第２端子金具が収容される。第２ハウジング本体２６は、外面に、複数のロック突起２７を有している。
【００２１】
第２ハウジング１１は、図４に示すように、第２ハウジング本体２６の後部に装着されるグロメットカバー２８を有している。また、第２ハウジング本体２６の後部には、シリコンゴムなどのゴム製のグロメット２９が装着される。グロメット２９は、ブーツ状をなし、第２ハウジング１１の後面から引き出された電線群３０を覆うように配置される。なお、グロメットカバー２８は、グロメット２９を介して電線群３０を覆う電線カバーである。
【００２２】
グロメットカバー２８は、図５に示すように、キャップ状をなし、左右方向（幅方向）で対向する一対の側面部３１を有している。両側面部３１は、第１ハウジング１０および第２ハウジング１１の嵌合方向と交差（詳細には直交）する方向を向いて配置される。また、両側面部３１は、側面視において上下方向（高さ方向）が長手方向となる矩形の外形形状を呈している。そして、グロメットカバー２８は、両側面部３１の後端間をつなぐ背面部３３と、両側面部３１の上端間をつなぐ上面部３４と、を有している。背面部３３は、図４に示すように、側面部３１の下端よりも下方に突出する部分を有している。電線群３０は、背面部３３に沿って下方（嵌合方向と交差する方向）に導出される。
【００２３】
両側面部３１および上面部３４は、図５に示すように、前端部に、前方に突出する複数のロック片３５を有している。図４に示すように、各ロック突起２７が各ロック片３５に弾性的に嵌まり込むことにより、グロメットカバー２８が第２ハウジング１１に保持される。グロメット２９は、グロメットカバー２８と第２ハウジング１１との間に挟まれた状態になる。
【００２４】
両側面部３１のうちの一方の側面部（以下、「一側面部３１Ａ」という）は、側方（図４の紙面手前側）に突出する外周壁３２を有している。外周壁３２は、側面視において上下方向が長手方向となる矩形環状をなし、一側面部３１Ａの外周側に全周にわたって配置されている。外周壁３２は、後部の後面における上下方向に間隔をあけた位置に、扁平台状の当て部３６を有している。当て部３６の端面は、上下方向に沿ってフラットに形成されている。
【００２５】
一側面部３１Ａは、外周壁３２の内側に、上下方向および前後方向に沿った平坦面３７を有している。そして、一側面部３１Ａは、外周壁３２の内側に、平坦面３７から側方に突出するハウジング側ロック部３８を有している。ハウジング側ロック部３８は、一側面部３１Ａの上下方向の中央部で、かつ外周壁３２の前部寄りに配置されている。ハウジング側ロック部３８は、上下方向において両当て部３６の間に配置される。ハウジング側ロック部３８は、上下方向に延びるリブ状の形態になっている。ハウジング側ロック部３８の後面は、図９に示すように、平坦面３７から先端にかけて後方へ傾斜するようにオーバハング状に形成されている。ハウジング側ロック部３８と外周壁３２の前部との間は、ハウジング側ロック部３８より低背の繋ぎ部３９で連結されている。繋ぎ部３９、ハウジング側ロック部３８および外周壁３２により区画される内側の空間には、シール部材１３の端部が挿入される。外周壁３２の前部は、図４に示すように、ハウジング側ロック部３８および各ロック片３５と対向する先端部（突出方向の先端部）に、切り欠かれた形態の凹所４０を有している。
【００２６】
＜蓋部材１２＞
蓋部材１２は、図７に示すように、キャップ状をなし、上下方向に沿った平板状の蓋本体４１を有している。なお、以下の蓋部材１２の説明において、「前面」は、蓋部材１２が後述する閉位置にあるときに、蓋本体４１が嵌合面部１７側を向く面とする。
【００２７】
蓋部材１２は、蓋本体４１の外周縁から前方（図６の紙面手前側）に突出する外筒部４２を有している。外筒部４２は、図６に示すように、前側から見て矩形環状をなし、蓋部材１２の外形形状を規定する。具体的には、外筒部４２は、前側から見た場合に、上下方向に沿って延びる一対の長辺部４３と、左右方向（幅方向）に沿って長辺部４３より短く延びる短辺部４４と、四角において両短辺部４４および両長辺部４３をつなぐ湾曲状の角部４５と、を有している。
【００２８】
蓋部材１２は、短辺部４４の下部から下方に突出する突片部４６を有している。突片部４６は、指で摘むことが可能な板状の形態になっている。
【００２９】
蓋部材１２は、両長辺部４３のうちの一方の長辺部４３（図６の右側の長辺部４３）に沿って上下方向に延びる保持部４７を有している。  
付勢部材１４としての巻きバネは、図７に示すように、中心部に、案内棒としての軸部４８が通されている。保持部４７は、図８に示すように、軸部４８を保持し、一方の長辺部４３に一体に連結されている。図３に示すように、蓋部材１２の後面側において、保持部４７と蓋本体４１とは段差なく連なっている。
【００３０】
保持部４７は、図８に示すように、前面に、付勢部材１４の本体部分を収容する凹部４９を有している。保持部４７は、前面に、凹部４９の上下端にそれぞれ通じる溝部５０を有している。両溝部５０は、上下方向に延び、内側に、付勢部材１４の上下端部が挿入される。軸部４８の上下端部は、保持部４７から突出して配置される。軸部４８の上下端部は、第１ハウジング１０における両軸受部２５の軸受孔に挿入されて支持される。
【００３１】
蓋部材１２は、両軸受部２５に支持される軸部４８を中心として、開位置（図３を参照）と閉位置（図１および図２を参照）との間を回動変位する。蓋部材１２が開位置にあるときに、図９に示すように、蓋本体４１が一側面部３１Ａを覆うように配置される。蓋部材１２が閉位置にあるときに、蓋本体４１が嵌合面部１７を覆うように配置される。蓋部材１２が閉位置から開位置に向けて回動される間、付勢部材１４にねじり力が蓄勢される。このため、蓋部材１２は、付勢部材１４によって閉位置側に付勢された状態になる。なお、作業者は、突片部４６を指で摘んで状態で、付勢部材１４の付勢力に抗して、蓋部材１２を閉位置から開位置へと至らすことができる。
【００３２】
蓋部材１２は、図６および図７に示すように、外筒部４２の内側に、蓋本体４１の前面から前方に突出する内筒部５１を有している。内筒部５１は、前側から見て矩形環状をなし、両長辺部４３、両短辺部４４および各角部４５と平行な壁によって構成されている。内筒部５１の外周面には、図８に示すように、シール部材１３が密着して配置される。内筒部５１は、前側から見た四角に厚肉部５２を有している。そして、内筒部５１は、厚肉部５２の端面から前方に突出する突起部５３を有している。図７に示すように、突起部５３の先端部分は、内側へ突出する爪状の形態になっている。
【００３３】
蓋部材１２は、内筒部５１の内側に、蓋本体４１の前面から前方に突出する蓋側ロック部５４を有している。蓋側ロック部５４は、図６に示すように、蓋本体４１の前面における保持部４７寄りの位置に、長辺部４３と平行して上下方向に延びる板状の蓋側ロック部５４を有している。図９に示すように、蓋側ロック部５４の板面のうち、保持部４７側を向く板面は、ハウジング側ロック部３８に当たることが可能とされている。蓋側ロック部５４の板面のうち、保持部４７と反対側を向く板面には、蓋本体４１の前面との間に、三角リブ状の連結部５５が連結されている。連結部５５は、幅方向に延び、蓋側ロック部５４の上下端部に対をなして連結されている。蓋側ロック部５４は、各連結部５５により補強され、所定の剛性が確保される。
【００３４】
＜シール部材１３＞
シール部材１３は、図７に示すように、前側（紙面手前側）から見て上下方向に長い矩形環状のシール本体５６を有している。シール本体５６は、内筒部５１の外周面に嵌められて保持される。シール本体５６は、前後方向に所定の厚みを有している。シール部材１３は、シール本体５６の外周面に前後方向に並んで配置される複数条、詳細には２条のシールリップ５７を有している。各シールリップ５７は、蓋部材１２が閉位置にあるときに、フード部１９の内周面に密着し、蓋部材１２と嵌合面部１７との間を液密にシールする。
【００３５】
シール部材１３は、シール本体５６の前部における四角寄りの部分に、内側へ対向して張り出す固定部５８を有している。固定部５８は、中央部に、前後に貫通する孔部５９を有している。固定部５８は、図８に示すように、内筒部５１の厚肉部５２の端面に支持される。固定部５８の孔部５９には突起部５３が挿入される。突起部５３の先端部分は、固定部５８の前面に当たる。これにより、シール部材１３は、蓋部材１２に対して前方へ抜け止めされた状態に保持される。
【００３６】
＜蓋部材１２の作用＞
第１ハウジング１０および第２ハウジング１１が嵌合され、第１ハウジング１０がパネル９０の取付孔９１に貫通した状態で、コネクタがパネル９０に取り付けられる。
【００３７】
第１ハウジング１０および第２ハウジング１１の嵌合時に、第１ハウジング１０の嵌合面部１７は第２ハウジング１１と対向して配置される。このとき、蓋部材１２は開位置にあり、図９に示すように、本体４１の板面は、第２ハウジング１１の一側面部３１Ａに対向して配置される。具体的には、蓋本体４１の板面は、平坦面３７との間に間隔をあけて平行に配置される。蓋本体４１は、平坦面３７全体を覆うように配置される。
【００３８】
蓋部材１２が開位置にあるときに、外筒部４２が外周壁３２の外側に嵌合される。外筒部４２の短辺部４４は、短手方向（嵌合方向）に沿って配置される。図１に示すように、蓋部材１２の短手方向の端部（保持部４７と反対側の端部）は、背面部３３よりも前方に引っ込むように配置される。
【００３９】
図９に示すように、蓋部材１２の短手方向の端部側に配置される長辺部４３は、外周壁３２の後面に沿って配置され、両当て部３６の端面に接触する。蓋側ロック部５４は、ハウジング側ロック部３８の後面の先端側に緊密に接触する。
【００４０】
シール部材１３は、内筒部５１と外周壁３２との間に挟まれる。シールリップ５７の一部は、外周壁３２の内周面に軽く接触する。シール部材１３は、外周壁３２と外筒部４２とにより外側（外周側）を取り囲まれる。このため、シール部材１３は、蓋部材１２と一側面部３１Ａとの間に露出することなく封じ込められる。なお、シール部材１３は、平坦面３７との間に間隔をあける一方、繋ぎ部３９の端面に接触する。
【００４１】
蓋部材１２は、開位置から閉位置に至らす際、付勢部材１４の付勢力に抗し、一側面部３１Ａから離れる方向にいったん引き上げられる。続いて、第１ハウジング１０および第２ハウジング１１の嵌合状態が解除され、第２ハウジング１１が第１ハウジング１０から離間される。その後、蓋部材１２は、作業者の手から離れ、付勢部材１４の付勢力によって閉位置へと自動的に至らされる。
【００４２】
蓋部材１２が閉位置にあるときに、蓋本体４１は、嵌合面部１７の全体を覆うように配置される（図２から図３にかけて参照）。外筒部４２は、フード部１９の外側に嵌合される。シール部材１３は、内筒部５１とフード部１９との間に液密に挟まれる。これにより、蓋部材１２側から嵌合面部１７側への浸水が阻止される。
【００４３】
本実施例の場合、パネル９０の後面側がドア側となり、パネル９０の後面側に電線群３０の配索スペースを大きく確保することができないという事情がある。これに対し、開位置にある蓋部材１２は、短辺部４４を後方に突出させた状態で、第２ハウジング１１の一側面部３１Ａに当たる。このため、開位置にある蓋部材１２は、パネル９０の後面側に大きく突出することがない。したがって、開位置にある蓋部材１２は、パネル９０の後面側にスペース効率良く収まることができる。
【００４４】
また、蓋部材１２は、付勢部材１４により付勢されて閉位置に自動的に至ることができる。このため、蓋部材１２を閉位置に至らすための特別な作業が不要となる。蓋部材１２が閉位置にあるときに、第１ハウジング１０の嵌合面部１７は、蓋部材１２で覆われ、さらにシール部材１３でシールされる。
【００４５】
蓋部材１２が開位置にあるときに、シール部材１３の周囲が第２ハウジング１１の外周壁３２によって取り囲まれるので、シール部材１３に外部異物が干渉するのが防止される。その結果、シール部材１３のシール性能を適切に発揮させることができる。そして、外周壁３２は、第２ハウジング１１のグロメットカバー２８に設けられているため、成形の自由度が高く、所定の剛性を確保することができる。
【００４６】
蓋部材１２が開位置にあるときに、シール部材１３の内側において、蓋側ロック部５４とハウジング側ロック部３８とが緊密に当たり合う。このため、コネクタが振動下に置かれても、蓋部材１２が一側面部３１Ａから不用意に離れるのが防止される。
【００４７】
［他の実施例］
今回開示された実施の形態はすべての点で例示であって制限的なものではないと考えられるべきである。  
例えば、実施例は、パネル９０に取り付けられるコネクタであったが、他の実施例としては、パネル９０に取り付けられないコネクタであってもよい。  
実施例は、蓋部材１２が閉位置にあるときに、シール部材１３が嵌合面部１７から離れて配置されていたが、他の実施例としては、シール部材１３が嵌合面部１７に接触するように配置されていてもよい。  
実施例は、蓋部材１２にシール部材１３が装着されていたが、他の実施例としては、蓋部材１２にシール部材１３が装着されていなくてもよい。例えば、コネクタは、シール部材１３を有さない非防水型のコネクタであってもよい。この場合、閉位置にある蓋部材１２は、第１ハウジング１０の嵌合面部１７に外部異物が干渉しないように機能すればよい。  
実施例は、長辺部４３および短辺部４４が直線状に形成されていたが、他の実施例としては、長辺部４３および短辺部４４が曲線状または屈曲部分を有して形成されていてもよい。長辺部４３および短辺部４４は、それぞれ、全体として長手方向および短手方向に延びる形態であればよい。
実施例は、グロメットカバー２８がグロメット２９を介して電線群３０を覆う構成であったが、他の実施例としては、電線カバーがグロメット２９を介さずに電線群３０を直接覆う構成であってもよい。
【符号の説明】
【００４８】
１０…第１ハウジング
１１…第２ハウジング
１２…蓋部材
１３…シール部材
１４…付勢部材
１５…第１ハウジング本体
１６…第１端子金具
１７…嵌合面部
１８…他のハウジング
１９…フード部
２０…フランジ部
２１…シールリング
２２…装着部
２３…ロック部材
２４…アーム部
２５…軸受部
２６…第２ハウジング本体
２７…ロック突起
２８…グロメットカバー（電線カバー）
２９…グロメット
３０…電線群
３１…側面部
３１Ａ…一側面部
３２…外周壁
３３…背面部
３４…上面部
３５…ロック片
３６…当て部
３７…平坦面
３８…ハウジング側ロック部
３９…繋ぎ部
４０…凹所
４１…蓋本体
４２…外筒部
４３…長辺部
４４…短辺部
４５…角部
４６…突片部
４７…保持部
４８…軸部
４９…凹部
５０…溝部
５１…内筒部
５２…厚肉部
５３…突起部
５４…蓋側ロック部
５５…連結部
５６…シール本体
５７…シールリップ
５８…固定部
５９…孔部
６０…ハウジングシール部材
９０…パネル
９１…取付孔
【図１】
2020140817.tif 000003
【図２】
2020140817.tif 000004
【図３】
2020140817.tif 000005
【図４】
2020140817.tif 000006
【図５】
2020140817.tif 000007
【図６】
2020140817.tif 000008
【図７】
2020140817.tif 000009
【図８】
2020140817.tif 000010
【図９】
2020140817.tif 000011